【手続補正書】
【提出日】平成21年10月21日(2009.10.21)
【手続補正１】
【補正対象書類名】特許請求の範囲
【補正対象項目名】全文
【補正方法】変更
【補正の内容】
【特許請求の範囲】
【請求項１】
空気放散孔または開口溝（１）を有する新鮮空気放散管（２）と、
前記新鮮空気放散管（２）に新鮮空気（６）を供給する新鮮空気供給源（５）と、
前記新鮮空気放散管（２）と前記新鮮空気供給源（５）とを接続する送気管（３）とを備え、
前記新鮮空気放散管（２）は、ウエアーまたは装身具に装着され、
前記ウエアーまたは装身具の装着者に対して前記新鮮空気（６）を放散することを特徴とするウエアーまたは装身具に装着可能な新鮮空気供給装置。
【請求項２】
前記新鮮空気供給源（５）は、前記新鮮空気（６）の流量を調整するための放散空気調整弁（８）を備えることを特徴とする請求項１に記載のウエアーまたは装身具に装着可能な新鮮空気供給装置。
【請求項３】
前記新鮮空気放散管（２）は、前記空気放散孔または開口溝（１）に、前記新鮮空気（６）の放散方向を調整するための放散角度調整管（９）を備えることを特徴とする請求項１または請求項２に記載のウエアーまたは装身具に装着可能な新鮮空気供給装置。
【請求項４】
前記新鮮空気放散管（２）は、脱着可能構造（１３）を備え、前記ウエアーまたは装身具に脱着自在であることを特徴とする請求項１から請求項３のいずれか一項に記載のウエアーまたは装身具に装着可能な新鮮空気供給装置。
【請求項５】
前記新鮮空気供給源（５）は、前記新鮮空気（６）が充填された新鮮空気貯留缶（１０）であることを特徴とする請求項１から請求項４のいずれか一項に記載のウエアーまたは装身具に装着可能な新鮮空気供給装置。
【請求項６】
前記新鮮空気貯留缶（１０）に充填された前記新鮮空気（６）は、加圧空気または液化空気であることを特徴とする請求項５に記載のウエアーまたは装身具に装着可能な新鮮空気供給装置。
【請求項７】
前記新鮮空気供給源（５）は、前記新鮮空気（６）を供給するための固定設備であることを特徴とする請求項１から請求項４のいずれか一項に記載のウエアーまたは装身具に装着可能な新鮮空気供給装置。
【請求項８】
前記新鮮空気供給源（５）は、濾過空気供給ファン（１２）を備える空気濾過装置（１１）であることを特徴とする請求項１から請求項４のいずれか一項に記載のウエアーまたは装身具に装着可能な新鮮空気供給装置。
【請求項９】
前記新鮮空気（６）は、高酸素濃度（３２）または低酸素濃度（３３）の空気であることを特徴とする請求項５に記載のウエアーまたは装身具に装着可能な新鮮空気供給装置。
【請求項１０】
前記新鮮空気（６）は、病気治療薬品（３５）が添加された空気であることを特徴とする請求項５に記載のウエアーまたは装身具に装着可能な新鮮空気供給装置。
【請求項１１】
前記新鮮空気（６）は、無害香料（３６）が添加された空気であることを特徴とする請求項５に記載のウエアーまたは装身具に装着可能な新鮮空気供給装置。
【請求項１２】
前記新鮮空気（６）は、加温空気（３７）または冷却空気（３８）であることを特徴とする請求項５または請求項８に記載のウエアーまたは装身具に装着可能な新鮮空気供給装置。
【請求項１３】
前記新鮮空気（６）は、乾燥空気（３０）であることを特徴とする請求項５または請求項７に記載のウエアーまたは装身具に装着可能な新鮮空気供給装置。
【請求項１４】
プラズマを発生するプラズマ電荷イオン発生器（３４）をさらに備えることを特徴とする請求項１から請求項４のいずれか一項に記載のウエアーまたは装身具に装着可能な新鮮空気供給装置。
【請求項１５】
前記新鮮空気（６）を加湿することで前記加湿空気（３１）にする超音波加湿装置をさらに備えることを特徴とする請求項１３に記載のウエアーまたは装身具に装着可能な新鮮空気供給装置。
【請求項１６】
前記新鮮空気（６）に前記病気治療薬品（３５）を気化混合するための薬品気化装置をさらに備えることを特徴とする請求項１０に記載のウエアーまたは装身具に装着可能な新鮮空気供給装置。
【請求項１７】
前記新鮮空気（６）を加湿または冷却することで前記加温空気（３７）または前記冷却空気（３８）にするペルチェ素子冷暖電気制御（４１）をさらに備えることを特徴とする請求項１２に記載のウエアーまたは装身具に装着可能な新鮮空気供給装置。
【請求項１８】
前記ウエアーまたは装身具は、サンバイザー（１４）であり、
前記新鮮空気放散管（２）は、前記サンバイザー（１４）のひさしつばの裏側部位に装着されることを特徴とする請求項１から請求項１７のいずれか一項に記載のウエアーまたは装身具に装着可能な新鮮空気供給装置。
【請求項１９】
前記ウエアーまたは装身具は、帽子（１８）であり、
前記新鮮空気放散管（２）は、前記帽子（１８）のひよけつば部位に装着されることを特徴とする請求項１から請求項１７のいずれか一項に記載のウエアーまたは装身具に装着可能な新鮮空気供給装置。
【請求項２０】
前記ウエアーまたは装身具は、はち巻き（１９）であることを特徴とする請求項１から請求項１７のいずれか一項に記載のウエアーまたは装身具に装着可能な新鮮空気供給装置。
【請求項２１】
前記ウエアーまたは装身具は、眼鏡であり、
前記前記新鮮空気放散管（２）は、前記眼鏡の眼鏡縁（２９）の上部または下部に装着されることを特徴とする請求項１から請求項１７のいずれか一項に記載のウエアーまたは装身具に装着可能な新鮮空気供給装置。
【請求項２２】
前記ウエアーまたは装身具は、上着（２０）であり、
前記前記新鮮空気放散管（２）は、前記上着（２０）の肩部位内側（２１）、袖内部（２２）及び背中内部（２３）に装着されることを特徴とする請求項１から請求項１７のいずれか一項に記載のウエアーまたは装身具に装着可能な新鮮空気供給装置。
【請求項２３】
前記ウエアーまたは装身具は、ズボン（２４）であり、
前記前記新鮮空気放散管（２）は、前記ズボン（２４）の大腿部位（２５）及びひざ脚部位（２６）に装着されることを特徴とする請求項１から請求項１７のいずれか一項に記載のウエアーまたは装身具に装着可能な新鮮空気供給装置。
【請求項２４】
前記ウエアーまたは装身具は、手袋（２８）であり、
前記前記新鮮空気放散管（２）は、前記手袋（２８）の内側に装着されることを特徴とする請求項１から請求項１７のいずれか一項に記載のウエアーまたは装身具に装着可能な新鮮空気供給装置。
【請求項２５】
前記ウエアーまたは装身具は、長靴または通常靴（２７）であり、
前記前記新鮮空気放散管（２）は、靴または通常靴（２７）の靴先端指部位または土踏まず部位に装着されることを特徴とする請求項１から請求項１７のいずれか一項に記載のウエアーまたは装身具に装着可能な新鮮空気供給装置。
【手続補正２】
【補正対象書類名】明細書
【補正対象項目名】全文
【補正方法】変更
【補正の内容】
【発明の詳細な説明】
【発明の名称】ウエアーまたは装身具に装着可能な新鮮空気供給装置
【技術分野】
【０００１】
大気中の有害物質吸引、種々の植物による花粉アレルギー症状、職業上の有害ガスの吸引、建材等によるシックハウス症候群、高地による酸欠症状、大気吸引による各種要因の疾病の改善策と、患者自身の肉体的及び精神的負担の軽減、同時に健常者の作業労働環境及び日常の疾病予防策の分野である。
【０００２】
また、四季における環境生活でのクールビズ、或はウォームビズでの自己管理的省エネルギー、職業上での現場環境における自己保護策にも貢献する分野である。
【背景技術】
【０００３】
現在の人間社会で、有害物質及びアレルギー物質の大気中飛散度は、心肺機能に異常がある方々、或は生理的にアレルギー体質の方々には過極環境下にあり、外出はおろか、居住区内においても、健常者では想定し得ない苦労を強いられており、防毒マスクに匹敵する程の眼鏡や保護マスクを使用せざるを得ない。老若男女の間で、身体的にも精神的にも社会生活をする上で負担となっている。
【０００４】
また、通常生活や労働環境で、黄砂の飛散及び自動車や工場排気ガス等による身体異常の発生は、発展途上国の経済特区市をはじめ首都でさえ頻発している現状は、いかようにもしがたい。
【０００５】
このような社会では、呼吸器官の疾病を防止するために、通常のガーゼマスクを着用していても効果はあまり期待できない。
【０００６】
昨今、滅菌ガーゼ付き、或は花粉吸入防止用のマスクは、多くの種類が製造されている（特許文献１）。花粉アレルギー症防止の為に鼻や喉粘膜を保護するマスク着用者は、増えている。しかし、マスクを付けて戸外活動をする事は、精神的負担があり、肉体的負担による目の炎症で涙を拭きながら歩いている方々は、精神的な負担が多い。現代医学界でも花粉アレルギーを解消する研究をしているものの、食餌療法や薬品服用では解決することが難しい。
【特許文献１】特開２００５−９５３６３号公報
【発明の開示】
【発明が解決しようとする課題】
【０００７】
従来の対処方法としては、大気吸引の間接的な療法であるマスクを付ける方法しかない。マスクメーカーは、無数に存在するものの、マスク本体の濾過性、滅菌性にのみ重点をおいている。このため、本発明に類する文献は見当たらない。
【０００８】
生命維持の為に行う大気酸素呼吸は、地球上の各国発展の工業生産過程、温暖化を含めた自然環境、自然保護の為の植林政策、これらの人為的或は自然的に、千差万別の個人体質によって、健康管理の影響度が変わる。このため、既に各種疾病を発症している者等は、その予防処置として薬品に頼っている現状を解消することが大きな課題である。
【０００９】
人為的な大気汚染は、先進国及び発展途上国で、大気放散の有害物質が問題となっている。このため、汚染空気の吸入を阻止して新鮮な空気を吸入、又必要あれば酸素濃度が３０％に近い新鮮空気をも、日常行動を疎外せずに呼吸出来れば、予防措置としても最良である。
【００１０】
昨今、生活態様の変化によって増加した各種のアレルギー発症は、その要因物質から逃避すればよいものの、そうすれば日常生活態様に変化を与えて職務遂行が不能となる。現状は、やむを得ず薬品の点眼、服用、塗布に終始し、その上、重厚なマスクや眼球隔離眼鏡の着用もしいられる。このような肉体的にも精神的にも負担の重圧に耐えるしかない現状の要因から、回避することが大きな課題である。
【００１１】
また、人間の生命維持における空気中の十数％しかない酸素を人間が汚染し、汚染空気を人間が吸入し、その人間が種々の身体異常を訴えて、症状緩和の為の手段として病院シェルターや高価な商品を購入使用するしかない。このため、一般人の日常生活に影響を及ぼさないように、この汚染大気環境の中で常時新鮮空気を吸引できるようにすれば良い。
【課題を解決するための手段】
【００１２】
本発明に係るウエアーまたは装身具に装着可能な新鮮空気供給装置は、空気放散孔または開口溝（１）を有する新鮮空気放散管（２）と、前記新鮮空気放散管（２）に新鮮空気（６）を供給する新鮮空気供給源（５）と、前記新鮮空気放散管（２）と前記新鮮空気供給源（５）とを接続する送気管（３）とを備え、前記新鮮空気放散管（２）は、ウエアーまたは装身具に装着され、前記ウエアーまたは装身具の装着者に対して前記新鮮空気（６）を放散することを特徴とする。
【００１３】
これらの課題を解決する為には、大気汚染改善が最善策であるが、長い期間を要する対策では意味が無い。唯一の方法は、現状の汚染或は飛散の大気環境から人体を新鮮空気によって隔離するしかない。
【００１４】
なぜならば、地球全体を宇宙から隔離し、大気を入れ替えるというようなことができないからである。
【００１５】
しかし、このままの汚染大気や飛散物の中での生活継続は、人類（特に疾病発症者）にとっては悲劇である。
【００１６】
そこで、健常者から疾病者迄、日常業務遂行者から運動選手、微細物性放散環境の勤労者迄、現在の生活就労環境を変えずに、汚染大気或は飛散物を回避せざるを得ないと想定する。
【００１７】
そして、建材含有成分での疾病発病者、或は各種の大気飛散物質によるアレルギー発症者でも、現状の制約された生活態様を従来の生活態様に戻す為にも、汚染空気の追放が不可能である限り、個人個人の身体、特に粘膜暴露の顔面全体を、新鮮空気で覆うことにより、結果的に汚染空気を隔離したことと同様になる。
【００１８】
汚染大気からの回避のために、マスクもしなければ眼鏡も着用しない状態で、それ以上の効果を発揮させる方法は、視力や聴力或は言語の明朗さにも影響を与えず、他人も意識し得ない現実の方法としては、新鮮空気の放散膜で大気から隔離する方法しか無い。
【００１９】
この新鮮空気は、圧縮空気缶に、液化空気、或は圧縮空気を充填して保持される。軟質チューブで、額頭部から顔面に、或は額頭部全周から新鮮空気を減圧して顔面に首方向から放散し、目、鼻、喉の粘膜を汚染大気から隔離して、新鮮な放散空気を鼻から吸入することが最善である。
【００２０】
固定位置での作業による有害ガス吸入防止策では、固定の空気供給管から、軟質チューブで額頭部から顔面に、或は全周から新鮮空気を減圧して放散して健康被害を防止すればよく、労働への影響は全く無い。
【００２１】
額頭部から下に向けて放散する新鮮空気の装着方法は種々あり、屋内や、夏期の屋外では日よけのサンバイザーのつば部位や時には全周、或は専用の頭部位バンド、冬期には防寒帽、防寒服等々、如何様にも装着は可能である。
【００２２】
また、現在市販品の、顔全面を覆うようなマスクや重厚な眼鏡の装着は、当該者にとっては対外的に精神的負担が大きい。本発明のサンバイザー或はつば付きの帽子の装着によって、逆にスタイリッシュ的感覚になり、思春期的年齢にでは、逆に新鮮空気放散管装着のサンバイザーや帽子、或ははち巻きのヘアーバンド等のデザイン選択の興味まで沸きだし、従来外出時の精神的負担も解消される。
【発明の効果】
【００２３】
身体的苦痛及び精神的苦痛が、本発明の着用により、大きな負担を解消することになるが、以下その効果を列挙する。
【００２４】
１．アレルギー体質である発明者個人の感覚では、「如何なる重厚なマスクを着用しても効果が無かった」発症が、本発明によって症状が停止し、解放感さえ生まれた。
【００２５】
２．水中眼鏡にも匹敵するアレルギー症対応眼鏡は、社会的立場の人間が着用不能であり、その為に絶えず涙を拭く煩雑さ等があったが、それを解消した。
【００２６】
３．大気アレルギー物質吸入過程での薬品服用は、効果が遅々として進まなかったが、本発明着用で、効果が早く進んだ。
【００２７】
４．開発という職務上の最重要課題の発想能力により、アレルギー発症時の思考力減退を解消した。
【００２８】
５．夏期のサンバイザー使用経験は無かったが、購入に当たってデザインやファッションへの関心が想像以上に高まった。
【００２９】
６．東南アジアの首都で大気汚染状況は想像を絶するものであり、自動車或は工場排気により、近距離景観でも目視不能な霞み状態である。市街地を市民全員がマスク着用で通行している状況で、渡航中は健康管理面からも本発明の着用を励行した。すれ違う第三者は、本発明着用には全く気がつかず、親切にマスク着用を促される場面も発生した。
【００３０】
７．同様な環境下の先進国を含めた各工場、例えば指輪やネックレス製造工場の一角で行われている金属溶着作業に使用する有害ガス発生の顔面側近での手仕事は、いくら局所排気設備があっても作業の特質から強力排気は出来ない。マスク装着では有害ガス吸入は阻止できず、経年累積での身体異常発生を生じることがある。しかし、本発明の適用後は、顔面を新鮮空気で覆うので、薬品臭気さえも感じられなかった。
【００３１】
８．赤道直下の極暑地域で直射日光を浴びることは厳しいものであるが、先進国でも火炎環境、高温環境下での労務は脱水症状さえ起き得る。現状の、作業に影響ある重厚な断熱服着用を止めて、軽量化した服装で洋服内部に柔軟チューブを装着し、同時にヘルメットへの装着を行い、絶えず新鮮空気を放散することによって、快適環境での作業に一変することができる。
【００３２】
９．同時に新鮮空気を送気する段階に、電子回路の軽量簡便なペルチェ素子により、温熱或は冷却した新鮮空気を供給すれば、環境の寒暖による体力減退にも対応可能であり、クールビズやウオームビズによる省エネルギーにも貢献する。
【００３３】
１０．これらの他、医療用としては、重症患者以外では、危険域をはずして酸素濃度をあげ、新鮮酸素放散吸入での治療効果も期待できる。
【００３４】
１１．最も大切な、人間の社会的行動に支障がなく、本発明を装着して運動することも可能である。登山や陸上練習による酸素供給には、酸素濃度変更で、平地にいながら高地対応トレーニングから、高地での体力維持の為の高酸素濃度の新鮮空気供給も可能である。
【発明を実施するための最良の形態】
【００３５】
図１のように、ウエアーまたは装身具として、例えばサンバイザー（１４）のひさしつばの裏側部位に、複数の空気放散孔又は開口溝（１）を有する軟質又は硬質の新鮮空気放散管（２）を、固着するか或は脱着可能な方法で装着し、吹き出す新鮮空気（６）が顔面に僅かに、かする程度の位置で装着した。
【００３６】
その理由は、自然動作の中で、サンバイザー（１４）の位置ずれによる新鮮空気（６）の顔面離脱度を少なくする為である。
【００３７】
この新鮮空気放散管（２）と新鮮空気供給源（５）とをワンタッチの脱着開閉弁（４）を経由して送気管（３）で接続する。
【００３８】
図３，４のように、新鮮空気供給源（５）には、携帯可能な新鮮空気貯留缶（１０）が使用され、定位置作業のような場合には固定設備空気圧縮機である図６の新鮮空気供給源（５）が使用される。
【００３９】
この新鮮空気放散管（２）から顔面寸前を吹きつける新鮮空気（６）の放散膜によって、気中有害物質（７）を顔面から遮断し、絶えず新鮮空気（６）を鼻腔及び口腔から吸入し、当然ながら眼球への気中有害物質（７）の付着をも防止することができる。
【００４０】
図２のように、顔面に受ける風圧の大小で異なる新鮮空気供給源（５）が適正圧力供給でない場合、又顔面の正面及び側面等で新鮮空気放散管（２）の放散圧力を変化させることができる。放散空気量調整弁（８）を適正個所に設置して流量調整すると同時に、放散角度調整管（９）の手動調整で新鮮空気放散の方向をも調整することによって、機能効果の維持昂進を図るものである。
【００４１】
図３，４のように、新鮮空気供給源（５）を屋外行動で携帯可能な新鮮空気貯留缶（１０）にする。充填される空気の種類は、加圧空気と液化空気の二種類があり、短時間の使用は図３の加圧空気を、又長時間の使用は図４の液化空気を充填すればよい。
【００４２】
図５のように、新鮮空気貯留缶（１０）の内部充填交換による経費節減の為に、濾過空気供給ファン（１２）を備えた空気濾過装置（１１）により、濾過した空気を新鮮空気放散管（２）によって放散し、汚染空気の吸入を防止することができる。この場合、送気管（３）や新鮮空気放散管（２）の口径を太くせざるを得ない。
【００４３】
携帯の場合には、駆動電池を携帯し、消耗した電池に充電を行う。
【００４４】
図６，７のように、定位置の有害空気環境中で作業を行う場合、或は行動範囲が部屋内の場合、送気管（３）が柔軟性を有し、ある程度の長さがあれば、自由な行動が可能である。送気管（３）は、新鮮空気放散管（２）に接続されて、空気放散孔又は開口溝（１）から新鮮空気（６）を放散する。
【００４５】
図８のように、新鮮空気放散管（２）が、ウエアーまたは装身具に固定して装着される代わりに、外出目的によりウエアーまたは装身具の着用変更があるため、新鮮空気放散管（２）を脱着つけ替えられるように脱着可能構造（１３）にする。マジックテープ（登録商標）或は釦形式等で、簡単に脱着可能である。
【００４６】
図１のように、ウエアーまたは装身具としてのサンバイザー（１４）に新鮮空気放散管（２）を装着する。装着する位置は、ひさしつばの裏側の額側近部位から、ひさしつばの先端迄の適当な位置を選べば良い。新鮮空気（６）が放散される風の顔面への接触度合いが変化する程度で、効果に変化はない。
【００４７】
この場合、顔面周囲に新鮮空気（６）を放散して顔面寸前でエアーカーテンを構成して汚染大気から顔面を隔離し新鮮空気（６）で呼吸を保護する。外耳及び鼓膜破孔の場合の中耳への異常物質の侵入を防止することと、首筋に放散して肩部位に多く付着する汚染物質を清浄し清涼感覚も付加する事で健康管理に有効である。
【００４８】
サンバイザー（１４）のひよけつばの裏側に、つばの先端から額接触部位の間の適当な位置に、新鮮空気放散管（２）が装着される。その意味は、高い鼻の人種の場合とそうでない人種の場合とに対応するためである。
【００４９】
図９のように、帽子（１８）に新鮮空気放散管（２）を装着する。つばのある帽子とつばの無い帽子もあるが、図１のサンバイザー（１４）の場合と同様に、つばの先端から額接触部位迄の適切な位置に装着する。
【００５０】
サンバイザー（１４）及び帽子（１８）において、ファッション的な感覚の選択により、精神的余裕が生じる。
【００５１】
図１０のように、サンバイザー（１４）や帽子（１８）に代えて、はち巻き（１９）に新鮮空気放散管（２）を装着する。はち巻き（１９）は、髪押さえバンド類もあり、当然ながら額頭部位に装着となる。この場合、空気放散孔又は開口溝（１）には放散角度調整管（９）の装着が望まれる。実施例では、放散角度調整管（９）にすずらん花やつりがね草花の造花によってデコレーションし違和感を解消した。
【００５２】
図１１のように、ウエアーまたは装身具としての上着（２０）の裏側の肩部位内側（２１）、袖内部（２２）、或は背中内部（２３）に新鮮空気放散管（２）が装着され、新鮮空気（６）が上着の裏側で放散される。
【００５３】
新鮮空気放散管（２）の空気放散孔又は開口溝（１）の数と位置は、使用目的によって変化する。
【００５４】
また、放散される空気の種類は、図１４の乾燥空気（３０）、図１０の加湿空気（３１）、図３の高酸素濃度（３２）の空気、図４の低酸素濃度（３３）の空気、静電気帯電防止や皮膚病等のために図３の病気治療薬品（３５）を気化混合した空気、図５の加温空気（３７）、図５の冷却空気（３８）等の多くがある。
【００５５】
新鮮空気供給源（５）は、図３，４の携帯移動の新鮮空気貯留缶（１０）の場合及び図６の固定設備の供給源の場合もある。
【００５６】
図１２のように、ウエアーまたは装身具としてのズボン（２４）の裏側の大腿部位（２５）及びひざ脚部位（２６）に新鮮空気放散管（２）が装着され、必要な個所に新鮮空気（６）を放散する。その目的は、図１１の上着（２０）の場合と同様である。
【００５７】
図１３のように、ウエアーまたは装身具として上着（２０）、ズボン（２４）、長靴或は通常靴（２７）、手袋（２８）等の内側に新鮮空気放散管（２）を装着する。長靴或は通常靴（２７）は、靴先端指部位、或は土踏まず部位等の必要な個所に新鮮空気（６）が放散される。
【００５８】
図１４のように、ウエアーまたは装身具としての眼鏡縁（２９）の上部又は下部に新鮮空気放散管（２）を装着して、眼球、鼻腔及び口腔からの汚染大気吸入を阻止する。機能を比較すると、図１のサンバイザー（１４）の場合の方が有利である。眼鏡着用者には、眼鏡縁（２９）に装着すれば、それなりの効果がある。
【００５９】
新鮮空気放散管（２）の空気放散孔又は開口溝（１）から放散する新鮮空気（６）の乾燥度を上げて、ドライエアーとして供給する。湿度大気中の相対湿度が９０％以上ある場合の環境でも、ウエアーまたは装身具の頭部から脚部全般に新鮮空気放散管（２）を装着して放散する事によって、装着者の行動過程の発汗を防止し、体内水分の適正化に基づいて血液流度を維持し、体内結石防除効果もある。
【００６０】
新鮮空気（６）の除湿乾燥方法として、携帯可能な新鮮空気貯留缶（１０）に充填する新鮮空気（６）自体をドライエアーにして充填するか、乾燥剤経由、或は固定設備の新鮮空気供給源（５）の場合はチーリングユニット等で除湿した図１４の乾燥空気（３０）を供給する。
【００６１】
新鮮空気（６）を図１０の加湿空気（３１）として、大気が過乾燥の場合に皮膚を乾燥から守ることができる。特に皮膚疾患の場合に有効性が高く、同時に風邪ウイルスの飛散付着吸入防止にも有効である。
【００６２】
新鮮空気（６）の湿度を上げるため、携帯可能な新鮮空気貯留缶（１０）に充填する新鮮空気（６）自体を加湿空気（３１）にして充填するか、或は固定設備の新鮮空気供給源（５）の場合は、水槽内の水中に放散して加湿空気（３１）を供給する。超音波加湿装置で新鮮空気（６）を加湿することが望ましい。
【００６３】
新鮮空気（６）を高酸素濃度（３２）或は低酸素濃度（３３）にする。携帯可能な新鮮空気貯留缶（１０）に充填する新鮮空気（６）は、高濃度と低濃度にした新鮮空気（６）を充填する。また、固定設備の新鮮空気供給源（５）の場合も、窒素と酸素との割合を調整した新鮮空気（６）を供給する。
【００６４】
現在簡単に製作出来る超小型で超軽量な３０００Ｖから５０００Ｖのプラズマを発生する図６のプラズマ電荷イオン発生器（３４）を備える。新鮮空気放散管（２）からは、プラズマによるプラスとマイナスの両者のイオンを発散し、新鮮空気（６）を放散する。その電荷イオン放散によって滅菌作用の効果を加え持ち、同時に人体の電荷バランスを採って静電気帯電防止の機能もある。
【００６５】
新鮮空気（６）の中に、図３の病気治療薬品（３５）を超音波気化装置等で気化して同時に放散する。携帯可能な新鮮空気貯留缶（１０）の種類によっては、気化混合充填する事も出来、或は超音波素子の発振装置等で薬品気化装置を併合する。固定設備の新鮮空気供給源（５）の場合も同様に供給する。
【００６６】
現状の医薬品では、気化薬品は咽喉吸入薬が主である。乳幼児の場合には医薬業の吸入器が不可能で自然呼吸吸入が最善である。健常者においても近い将来にはストレス解消等の開発商品が生まれると予想される。
【００６７】
新鮮空気（６）の中に、神経性病気治療或は健常者のストレス解消等の目的で、アロマセラピー（芳香療法）により、ハーブ香料分子を気化して放散する。携帯可能な新鮮空気貯留缶（１０）に混合充填するか或は薬品気化装置を併合する。固定設備の新鮮空気供給源（５）の場合も同様に供給する。
【００６８】
化学薬品による香料は出来れば使用せずに、安全な植物抽出香料による図３の無害香料（３６）を使用する。時には、身体に塗布する香水同様の効果目的にも使える。
【００６９】
用途目的に応じて、図５の加温空気（３７）、又は冷却空気（３８）のいずれかの新鮮空気（６）を供給する。例えば、製鉄所の高温作業には冷却空気（３８）を、冷凍倉庫等の低温作業では加温空気（３７）を放散することによって、身体を保護することができる。
【００７０】
新鮮空気（６）を加温する装置は、携帯可能な新鮮空気貯留缶（１０）の周囲を覆う酸化鉄粉酸化発熱剤、或は炭素による電気抵抗発熱体である。既設の固定設備の新鮮空気供給源（５）の場合には、ニクロム線電気発熱体である。
【００７１】
新鮮空気（６）を冷却する装置は、携帯可能な新鮮空気貯留缶（１０）の周囲を氷又はドライアイスで覆うのが簡単であり、固定設備の新鮮空気供給源（５）の場合には、チーリングユニットを使用すればよい。
【００７２】
図５のペルチェ素子冷暖電気制御（４１）のように、電子回路によりペルチェ素子を使用し、新鮮空気（６）の加温と冷却の両者を効率よく行うものである。体温的には、超高温或は極低温の必要が無く、しかも電子回路であることから軽量であり、携帯可能な新鮮空気貯留缶（１０）の加温と冷却には十分に使用可能である。
【図面の簡単な説明】
【００７３】
【図１】新鮮空気放散管がサンバイザーに装着された実施例を示す図である。
【図２】放散空気流量調整弁及び放散角度調整管付きの新鮮空気放散管がサンバイザーに装着された実施例を示す図である。
【図３】新鮮空気供給源が新鮮空気貯留缶である第１実施例を示す図である。
【図４】新鮮空気供給源が新鮮空気貯留缶である第２実施例を示す図である。
【図５】新鮮空気供給源が濾過空気供給ファンを備える空気濾過装置である実施例を示す図である。
【図６】新鮮空気供給源が固定設備の一例として圧縮新鮮空気供給源である実施例を示す図である。
【図７】「図６」の帽子部位のＡ−Ａ断面を示す図である。
【図８】新鮮空気放散管が脱着可能構造である実施例を示す図である。
【図９】新鮮空気供給源が濾過空気供給ファンを備えた空気濾過装置であり、新鮮空気放散管が帽子に装着された実施例を示す図である。
【図１０】新鮮空気放散管がはち巻きの一例としてヘアーバンドに装着された実施例を示す図である。
【図１１】新鮮空気放散管が上着の背中、肩、袖の内部に装着された実施例を示す図である。
【図１２】新鮮空気放散管がズボンの大腿部、ひざ脚部の内側に装着された実施例を示す図である。
【図１３】新鮮空気放散管が上着、ズボン、手袋、靴の内側に装着された実施例を示す図である。
【図１４】新鮮空気放散管が眼鏡縁に装着された実施例を示す図である。
【符号の説明】
【００７４】
１    空気放散孔又は開口溝
２    新鮮空気放散管
３    送気管
４    脱着開閉弁
５    新鮮空気供給源
６    新鮮空気
７    気中有害物質
８    放散空気流量調整弁
９    放散角度調整管
１０  新鮮空気貯留缶
１１  空気濾過装置
１２  濾過空気供給ファン
１３  脱着可能構造
１４  サンバイザー
１５  ひよけつば部位
１６  額頭部全周部位
１７  顔面
１８  帽子
１９  はち巻き
２０  上着
２１  肩部位内側
２２  袖内部
２３  背中内部
２４  ズボン
２５  大腿部部位
２６  ひざ脚部位
２７  長靴或は通常靴
２８  手袋
２９  眼鏡縁
３０  乾燥空気
３１  加湿空気
３２  高酸素濃度
３３  低酸素濃度
３４  プラズマ電荷イオン発生器
３５  病気治療薬品
３６  無害香料
３７  加温空気
３８  冷却空気
４１  ペルチェ素子冷暖電気制御